(57)【要約】【課題】降雨時や降雪時等に付着した水滴を除去することができるアンテナ収容装置を提供する。【解決手段】アンテナ収容装置１００は、収容体１０及び回転体２０を備え、収容体１０は、アンテナ１２ａを有するミリ波無線機１２を収容し電波を透過可能な合成樹脂で形成された筐体１１と、周辺の気温を検知する温度センサ１３と、雨滴等を検知する雨滴センサ１４と、気象状況判定部３１及びモータ駆動部３２を有し気象状況を降雨等の場合にモータ１５を駆動するモータ制御装置３０と、回転体２０を回転するモータ１５と、を備え、回転体２０は、電波方向と交差する円形の平面部２０ａと、平面部２０ａに接合された筒状部２０ｂと、筒状部２０ｂの内面に形成された動力伝導部材２０ｃと、を備える。【選択図】図１
2013219652.tif 000002
【特許請求の範囲】
【請求項１】
電波の送信又は受信を行う無線通信機器に対して無線通信するアンテナを収容する収容体と、
前記収容体の前記無線通信機器側に設けられ、前記電波の発射方向又は到来方向と交差する平面板と、
降雨又は降雪を検知する降雨降雪検知手段と、
前記降雨降雪検知手段が前記降雨又は前記降雪を検知したことを条件に前記平面板から水滴を除去する水滴除去手段と、
を備えたことを特徴とするアンテナ収容装置。
【請求項２】
前記水滴除去手段は、
前記平面板を回転させるモータと、
前記モータを駆動するモータ駆動手段と、
を備えたことを特徴とする請求項１に記載のアンテナ収容装置。
【請求項３】
前記水滴除去手段は、
前記平面板を振動させる超音波振動子と、
前記超音波振動子を駆動する超音波振動子駆動手段と、
を備えたことを特徴とする請求項１に記載のアンテナ収容装置。
【請求項４】
前記アンテナが受信した信号の受信電力の情報を取得する受信電力情報取得手段をさらに備え、
前記水滴除去手段は、前記受信電力が予め定められた受信電力閾値よりも低いことを条件に前記平面板から前記水滴を除去するものであることを特徴とする請求項１から請求項３までのいずれか１項に記載のアンテナ収容装置。
【発明の詳細な説明】
【技術分野】
【０００１】
本発明は、例えば、ミリ波帯の無線通信に用いられるアンテナを収容するアンテナ収容装置に関する。
【背景技術】
【０００２】
従来、無線通信用のアンテナにレドームを取り付けてアンテナを風雨から保護することが行われている。また、アンテナのみならず、アンテナと接続した無線機を含めて収容するハウジングによりアンテナ及び無線機を保護することも行われている。
【０００３】
レドームやハウジングの外表面は、降雨時には水滴により濡れる。そして、この水滴や、水滴により生じるレドーム外表面の水膜の形成が電波の減衰の要因となり、周波数が高くなるとともに減衰が大きくなることが指摘されている（例えば、非特許文献１参照）。そのため、種々の対策が検討されている（例えば、特許文献１〜４参照）。
【０００４】
特許文献１には、レドームの上部を取り囲むように降雨を集水する機構と、これに集水された水を排水する機構とを設けて、レドームに落下する降雨を集め、レドーム表面を濡らさぬよう排水することが提案されている。また、特許文献２、３には、レドーム外表面に溝を設け、降雨を排水する機構を持たせ、縦方向の長い雨筋を生じさせないようにすることが提案されている。特許文献４には、半球状のレドーム全体を回転させ、レドーム表面に付着した水滴を振り払う衛星放送用アンテナ装置が提案されている。
【先行技術文献】
【特許文献】
【０００５】
【特許文献１】特開平９−１８６５２１号公報
【特許文献２】特開２００４−２３６４５号公報
【特許文献３】特開２００５−２０３９７８号公報
【特許文献４】実開昭６４−３０９０７号公報
【非特許文献】
【０００６】
【非特許文献１】近藤学、他著「１０〜３０ＧＨｚにおけるレドーム付反射鏡アンテナの降雨時放射特性」電子情報通信学会論文誌Ｂ、Ｖｏｌ．Ｊ６９−Ｂ、Ｎｏ．３、１９８６年３月２０日発行、ｐｐ．２６５−２７３
【発明の概要】
【発明が解決しようとする課題】
【０００７】
しかしながら、特許文献１記載の技術は、天頂部から降り注ぐ降雨を対象としたものであり、斜め方向や横方向から降り注ぐ降雨に対して有効な技術ではない。また、特許文献１記載の技術では、排水するために設けた樋（集水構造）に長時間にわたって水滴が残るという問題があった。
【０００８】
特許文献２、３記載の技術は、縦方向の長い雨筋による電波の減衰に対しては有効であるが、排水するために設けた斜め方向の溝に長時間にわたって水滴が残るなどの問題があった。
【０００９】
また、特許文献１〜３記載の技術では、アンテナレドームの外表面に付着した水滴がある程度大きくなり、自然に流れるまでは水滴を除去する手段を有しないため、水滴による減衰に対して解決できるものではなかった。
【００１０】
特許文献４記載の技術では、レドームの形状が半球状であるため水滴の飛びが悪く、水滴がレドームに残るという問題があった。
【００１１】
本発明は、前述の事情に鑑みてなされたものであり、降雨時や降雪時等に付着した水滴を除去することができるアンテナ収容装置を提供することを目的とする。
【課題を解決するための手段】
【００１２】
本発明のアンテナ収容装置は、電波の送信又は受信を行う無線通信機器に対して無線通信するアンテナを収容する収容体と、前記収容体の前記無線通信機器側に設けられ、前記電波の発射方向又は到来方向と交差する平面板と、降雨又は降雪を検知する降雨降雪検知手段と、前記降雨降雪検知手段が前記降雨又は前記降雪を検知したことを条件に前記平面板から水滴を除去する水滴除去手段と、を備えた構成を有している。
【００１３】
この構成により、本発明のアンテナ収容装置は、水滴除去手段により、降雨降雪検知手段が降雨又は降雪を検知した場合に平面板から水滴を除去するので、降雨時や降雪時等に付着した水滴を除去することができる。
【００１４】
本発明のアンテナ収容装置は、前記水滴除去手段が、前記平面板を回転させるモータと、前記モータを駆動するモータ駆動手段と、を備えた構成を有している。
【００１５】
この構成により、本発明のアンテナ収容装置は、モータが平面板を回転させて発生する遠心力により水滴を除去するので、降雨時や降雪時等に付着した水滴を除去することができる。
【００１６】
本発明のアンテナ収容装置は、前記水滴除去手段が、前記平面板を振動させる超音波振動子と、前記超音波振動子を駆動する超音波振動子駆動手段と、を備えた構成を有している。
【００１７】
この構成により、本発明のアンテナ収容装置は、超音波振動子が平面板を振動させることにより降雨時や降雪時等に付着した水滴を落下及び霧化するので、降雨時や降雪時等に付着した水滴を除去することができる。
【００１８】
本発明のアンテナ収容装置は、前記アンテナが受信した信号の受信電力の情報を取得する受信電力情報取得手段をさらに備え、前記水滴除去手段は、前記受信電力が予め定められた受信電力閾値よりも低いことを条件に前記平面板から前記水滴を除去するものである構成を有している。
【００１９】
この構成により、本発明のアンテナ収容装置は、アンテナが受信した信号の受信電力に基づいて水滴除去手段を駆動することにより、降雨時や降雪時等に付着した水滴を除去することができる。
【発明の効果】
【００２０】
本発明は、降雨時や降雪時等に付着した水滴を除去することができるという効果を有するアンテナ収容装置を提供することができるものである。
【図面の簡単な説明】
【００２１】
【図１】本発明に係るアンテナ収容装置の第１実施形態における断面模式図である。
【図２】本発明に係るアンテナ収容装置の第１実施形態におけるブロック構成図である。
【図３】本発明に係るアンテナ収容装置の第１実施形態における動作を示すフローチャートである。
【図４】本発明に係るアンテナ収容装置の第２実施形態における断面模式図である。
【図５】本発明に係るアンテナ収容装置の第２実施形態におけるブロック構成図である。
【図６】本発明に係るアンテナ収容装置の第２実施形態における動作を示すフローチャートである。
【図７】本発明に係るアンテナ収容装置の第３実施形態におけるブロック構成図である。
【図８】本発明に係るアンテナ収容装置の第３実施形態における動作を示すフローチャートである。
【図９】本発明に係るアンテナ収容装置の第４実施形態におけるブロック構成図である。
【図１０】本発明に係るアンテナ収容装置の第４実施形態における動作を示すフローチャートである。
【発明を実施するための形態】
【００２２】
以下、本発明の実施形態について図面を用いて説明する。なお、本発明のアンテナ収容装置を、ミリ波帯の電波を使用するアンテナ付きの無線機に適用した例を挙げて説明する。
【００２３】
（第１実施形態）
まず、本発明に係るアンテナ収容装置の第１実施形態における構成について説明する。
【００２４】
図１は、本実施形態におけるアンテナ収容装置１００の断面模式図である。図１に示すように、アンテナ収容装置１００は、収容体１０及び回転体２０を備えている。
【００２５】
収容体１０は、筐体１１、ミリ波無線機１２、温度センサ１３、雨滴センサ１４、モータ制御装置３０、モータ１５を備えている。
【００２６】
筐体１１は、例えば電波を透過可能な合成樹脂で形成され、その外観が、無線通信機器（図示省略）に対する電波の発射方向又は到来方向（以下単に「電波方向」という。）に中心軸を有する円柱状である。また、筐体１１は、電波方向と交差する側面１１ａと、温度センサ１３及び雨滴センサ１４が設けられた外周面１１ｂと、を有している。
【００２７】
ミリ波無線機１２は、アンテナ１２ａを備え、ミリ波帯の電波を用いて無線通信機器と通信を行うようになっている。なお、ミリ波無線機１２は、準ミリ波帯（周波数１０ＧＨｚ〜３０ＧＨｚ）の電波を用いるものでもよい。
【００２８】
温度センサ１３は、アンテナ収容装置１００の周辺の気温を検知し、検知した気温を示す気温情報をモータ制御装置３０に出力するようになっている。この温度センサ１３は、本発明に係る降雨降雪検知手段を構成する。
【００２９】
雨滴センサ１４は、雨滴又は雪粒等（以下単に「雨滴等」という。）を検知し、雨滴等を検知したことを示す雨滴等情報をモータ制御装置３０に出力するようになっている。この雨滴センサ１４は、本発明に係る降雨降雪検知手段を構成する。
【００３０】
モータ制御装置３０は、図２の機能ブロック図に示す構成を有する。すなわち、モータ制御装置３０は、気象状況判定部３１及びモータ駆動部３２を備え、例えばマイクロコンピュータで構成される。このモータ制御装置３０は、本発明に係る水滴除去手段を構成する。
【００３１】
気象状況判定部３１は、温度センサ１３からの気温情報と、雨滴センサ１４からの雨滴等情報とに基づいて、気象状況を判定するようになっている。具体的には、気象状況判定部３１は、雨滴センサ１４から雨滴等情報を入力した場合において、温度センサ１３からの気温情報が例えば３℃以上を示すときは降雨であると判定し、温度センサ１３からの気温情報が例えば３℃未満を示すときは降雪であると判定するものである。この判定信号は、モータ駆動部３２に送信される。
【００３２】
また、気象状況判定部３１は、気象状況を降雨又は降雪（以下「降雨等」という。）と判定した後に、降雨等ではない（降雨等が止んだ）と判定した時刻からの経過時間を計時するタイマーを有している。
【００３３】
モータ駆動部３２は、気象状況判定部３１が、気象状況を降雨等と判定した場合にモータ駆動信号をモータ１５に出力し、モータ１５を駆動するようになっている。
【００３４】
モータ１５は、本体１５ａ、回転軸１５ｂ、歯車１５ｃを備え、モータ駆動部３２が出力するモータ駆動信号に基づいて回転体２０を回転するようになっている。このモータ１５は、本発明に係る水滴除去手段を構成する。
【００３５】
回転体２０は、例えば電波を透過可能な合成樹脂で形成され、筐体１１の側面１１ａを覆うように設けられている。この回転体２０は、電波方向と交差する円形の平面部２０ａと、平面部２０ａに接合された筒状部２０ｂと、筒状部２０ｂの内面に形成された動力伝導部材２０ｃと、を備えている。平面部２０ａは、本発明に係る平面板を構成する。動力伝導部材２０ｃは、歯車やベルト等で構成される。筒状部２０ｂと、収容体１０の外周面１１ｂとの間には、転がり軸受１６が介在されている。この構成により、回転体２０は、モータ１５の回転により、電波方向を回転中心として回転するようになっている。
【００３６】
なお、図１では、回転体２０の平面部２０ａが電波方向に対して直交した構成例を示したが、本発明はこれに限定されず、回転体２０の平面部２０ａが電波方向に対して所定の角度で傾斜した構成であってもよい。
【００３７】
次に、本実施形態におけるアンテナ収容装置１００の動作について、図１及び図２を適宜参照しつつ、図３を用いて説明する。
【００３８】
気象状況判定部３１は、温度センサ１３からの気温情報と、雨滴センサ１４からの雨滴等情報とに基づいて、降雨等か否かを判定する（ステップＳ１１）。
【００３９】
ステップＳ１１において、降雨等と判定しなかった場合はステップＳ１１を繰り返し、降雨等と判定した場合は、気象状況判定部３１は、モータ駆動部３２にモータ１５を駆動させるための制御信号を出力する。
【００４０】
モータ駆動部３２はモータ駆動信号をモータ１５に出力し、モータ１５は回転体２０を回転する（ステップＳ１２）。その結果、回転体２０に付着していた雨滴等は、回転体２０の遠心力により回転体２０から除去される。
【００４１】
気象状況判定部３１は、温度センサ１３からの気温情報と、雨滴センサ１４からの雨滴等情報とに基づいて、降雨等か否かを判定する（ステップＳ１３）。
【００４２】
ステップＳ１３において、降雨等と判定した場合はステップＳ１２に戻り、降雨等と判定しなかった場合は、気象状況判定部３１は計時を開始する（ステップＳ１４）。
【００４３】
気象状況判定部３１は、計時を開始してから所定時間（例えば３０分）経過したか否か判定する（ステップＳ１５）。
【００４４】
ステップＳ１５において、気象状況判定部３１は、所定時間経過したと判定しなかった場合は温度センサ１３からの気温情報と、雨滴センサ１４からの雨滴等情報とに基づいて、降雨等か否かを判定する（ステップＳ１６）。
【００４５】
ステップＳ１６において、降雨等と判定しなかった場合はステップＳ１５に戻り、降雨等と判定した場合は、気象状況判定部３１は計時を終了し（ステップＳ１７）、ステップＳ１２に戻る。
【００４６】
一方、ステップＳ１５において、所定時間経過したと判定した場合は、気象状況判定部３１はモータ駆動信号の出力停止を示す信号をモータ駆動部３２に出力する。
【００４７】
モータ駆動部３２はモータ１５に対してモータ駆動信号の出力を停止し、モータ１５は回転体２０の回転を停止する（ステップＳ１８）。
【００４８】
以上のように、本実施形態におけるアンテナ収容装置１００は、気象状況判定部３１が降雨等と判定した場合に、モータ駆動部３２がモータ１５を駆動して回転体２０を回転する構成としたので、降雨時や降雪時等に付着した水滴を除去することができる。
【００４９】
なお、前述の実施形態では、アンテナ収容装置１００がアンテナ１２ａを有するミリ波無線機１２を収容する構成例を説明したが、本発明はこれに限定されない。例えば、ミリ波無線機１２の本体とアンテナ１２ａとを分離してミリ波無線機１２の本体をアンテナ収容装置１００の外部に設置し、アンテナ収容装置１００がアンテナ１２ａのみを収容する構成としても同様の効果が得られる。
【００５０】
（第２実施形態）
まず、本発明に係るアンテナ収容装置の第２実施形態における構成について説明する。
【００５１】
図４に示すように、本実施形態におけるアンテナ収容装置２００は、第１実施形態におけるアンテナ収容装置１００（図１参照）の一部を変更したものであり、収容体４０及び振動体５０を備えている。なお、アンテナ収容装置１００と同様な構成には同一の符号を付して、その説明は省略する。
【００５２】
収容体４０は、筐体１１、ミリ波無線機１２、温度センサ１３、雨滴センサ１４、振動子制御装置６０、超音波振動子４１を備えている。なお、筐体１１の外観形状は、第１実施形態で例示した円柱状とするが、その他の形状（例えば直方体）でもよい。
【００５３】
振動子制御装置６０は、図５の機能ブロック図に示す構成を有する。すなわち、振動子制御装置６０は、気象状況判定部３１及び振動子駆動部６１を備え、例えばマイクロコンピュータで構成される。この振動子制御装置６０は、本発明に係る水滴除去手段を構成する。
【００５４】
振動子駆動部６１は、気象状況判定部３１が、気象状況を降雨等と判定した場合に振動子駆動信号を超音波振動子４１に出力し、超音波振動子４１を駆動するようになっている。
【００５５】
超音波振動子４１は、圧電素子を有する本体４１ａ及び振動軸４１ｂを備え、振動子駆動部６１が出力する振動子駆動信号に基づいて振動体５０を振動するようになっている。この超音波振動子４１は、本発明に係る水滴除去手段を構成する。
【００５６】
振動体５０は、電波を透過可能な合成樹脂で形成され、側面１１ａを覆うように設けられている。この振動体５０は、電波方向と交差する円形又は矩形の平面部５０ａと、平面部５０ａに接合された筒状部５０ｂと、を備えている。平面部５０ａは、振動軸４１ｂに接合されており、本発明に係る平面板を構成する。筒状部５０ｂと、収容体１０の外周面１１ｂとの間には、例えばゴム製のパッキン１７が介在されている。この構成により、振動体５０は、超音波振動子４１の超音波振動により振動するようになっている。
【００５７】
なお、図４では、振動体５０の平面部５０ａが電波方向に対して直交した構成例を示したが、本発明はこれに限定されず、振動体５０の平面部５０ａが電波方向に対して所定の角度で傾斜した構成であってもよい。
【００５８】
次に、本実施形態におけるアンテナ収容装置２００の動作について、図４及び図５を適宜参照しつつ、図６を用いて説明する。なお、アンテナ収容装置１００の動作ステップ（図３参照）と同様なステップには同一の符号を付して、その説明は省略する。
【００５９】
ステップＳ１１において、降雨等と判定した場合は、気象状況判定部３１は、超音波振動子４１に振動子駆動部６１を駆動させるための制御信号を超音波振動子４１に出力する。
【００６０】
振動子駆動部６１は振動子駆動信号を超音波振動子４１に出力し、超音波振動子４１は振動体５０を振動する（ステップＳ２１）。その結果、振動体５０に付着していた雨滴等は、落下及び霧化されて振動体５０から除去される。
【００６１】
ステップＳ１５において、所定時間経過したと判定した場合は、気象状況判定部３１は振動子駆動信号の出力停止を示す信号を振動子駆動部６１に出力する。
【００６２】
振動子駆動部６１は超音波振動子４１に対して振動子駆動信号の出力を停止し、超音波振動子４１は振動体５０の振動を停止する（ステップＳ２２）。
【００６３】
以上のように、本実施形態におけるアンテナ収容装置２００は、気象状況判定部３１が降雨等と判定した場合に、振動子駆動部６１が超音波振動子４１を駆動して振動体５０を振動する構成としたので、降雨時や降雪時等に付着した水滴を除去することができる。
【００６４】
（第３実施形態）
まず、本発明に係るアンテナ収容装置の第３実施形態における構成について説明する。
【００６５】
図７に示すように、本実施形態におけるアンテナ収容装置３００は、第１実施形態におけるアンテナ収容装置１００（図２参照）の一部を変更したものであるので、アンテナ収容装置１００と同様な構成には同一の符号を付して、その説明は省略する。また、アンテナ収容装置３００の断面模式図は図１と同様であるので図示を省略する。
【００６６】
アンテナ収容装置３００は、モータ制御装置７０を備えている。モータ制御装置７０は、受信電力取得部７１、受信電力記憶部７２、気象状況判定部７３、モータ駆動部７４を備え、例えばマイクロコンピュータで構成される。このモータ制御装置７０は、本発明に係る水滴除去手段を構成する。
【００６７】
受信電力取得部７１は、ミリ波無線機１２が有する受信装置１２ｂから受信電力を示す受信電力情報を取得するようになっている。この受信電力取得部７１は、本発明に係る受信電力情報取得手段を構成する。
【００６８】
受信電力記憶部７２は、予め定められた受信電力閾値のデータを記憶するようになっている。この受信電力閾値は、予め実験やシミュレーションを行って求めた値である。
【００６９】
気象状況判定部７３は、温度センサ１３からの気温情報と、雨滴センサ１４からの雨滴等情報とに基づいて、気象状況を判定するようになっている。この判定信号は、モータ駆動部７４に出力される。
【００７０】
また、気象状況判定部７３は、受信電力取得部７１が受信装置１２ｂから取得した受信電力と、受信電力記憶部７２から読み出した受信電力閾値のデータとを比較するようになっている。そして、気象状況判定部７３は、受信装置１２ｂの受信電力が受信電力閾値よりも低い場合、その旨を示す信号をモータ駆動部７４に出力するようになっている。
【００７１】
モータ駆動部７４は、気象状況判定部７３が、気象状況を降雨等と判定した場合にモータ駆動信号をモータ１５に出力し、モータ１５を駆動するようになっている。また、モータ駆動部７４は、気象状況判定部７３が、受信装置１２ｂの受信電力が受信電力閾値よりも低いと判定した場合にモータ駆動信号をモータ１５に出力し、モータ１５を駆動するようになっている。
【００７２】
次に、本実施形態におけるアンテナ収容装置３００の動作について、図７を適宜参照しつつ、図８を用いて説明する。なお、アンテナ収容装置１００の動作ステップ（図３参照）と同様なステップには同一の符号を付して、その説明は省略する。
【００７３】
ステップＳ１５において、所定時間経過したと判定した場合は、気象状況判定部７３は、受信装置１２ｂの受信電力と受信電力閾値Ｐｔｈとを比較し（ステップＳ３１）、受信装置１２ｂの受信電力が受信電力閾値Ｐｔｈ未満の場合はステップＳ３１を繰り返す。すなわち、この場合は、所定時間経過後でも回転体２０の回転は停止させない。
【００７４】
一方、ステップＳ３１において、受信装置１２ｂの受信電力が受信電力閾値Ｐｔｈ以上の場合は、気象状況判定部７３はモータ駆動信号の出力停止を示す信号をモータ駆動部７４に出力する。
【００７５】
モータ駆動部７４はモータ１５に対してモータ駆動信号の出力を停止し、モータ１５は回転体２０の回転を停止する（ステップＳ１８）。
【００７６】
以上のように、本実施形態におけるアンテナ収容装置３００は、受信装置１２ｂの受信電力に基づいて回転体２０の回転時間を延長できる構成としたので、降雨等が止んだ後に例えば霧が発生し、霧による水滴が回転体２０に付着してもそれを除去することができる。
【００７７】
（第４実施形態）
まず、本発明に係るアンテナ収容装置の第４実施形態における構成について説明する。
【００７８】
図９に示すように、本実施形態におけるアンテナ収容装置４００は、第２実施形態におけるアンテナ収容装置２００（図５参照）の一部を変更したものであるので、アンテナ収容装置２００と同様な構成には同一の符号を付して、その説明は省略する。また、アンテナ収容装置４００の断面模式図は図４と同様であるので図示を省略する。また、第３実施形態におけるアンテナ収容装置３００（図７参照）と同様な構成には同一の符号を付して、その説明は省略する。
【００７９】
アンテナ収容装置４００は、振動子制御装置８０を備えている。振動子制御装置８０は、受信電力取得部７１、受信電力記憶部７２、気象状況判定部７３、振動子駆動部８１を備え、例えばマイクロコンピュータで構成される。この振動子制御装置８０は、本発明に係る水滴除去手段を構成する。
【００８０】
振動子駆動部８１は、気象状況判定部３１が、気象状況を降雨等と判定した場合に振動子駆動信号を超音波振動子４１に出力し、超音波振動子４１を駆動するようになっている。また、振動子駆動部８１は、気象状況判定部７３が、受信装置１２ｂの受信電力が受信電力閾値よりも低いと判定した場合に振動子駆動信号を超音波振動子４１に出力し、超音波振動子４１を駆動するようになっている。
【００８１】
次に、本実施形態におけるアンテナ収容装置４００の動作について、図９を適宜参照しつつ、図１０を用いて説明する。なお、アンテナ収容装置２００の動作ステップ（図６参照）と同様なステップには同一の符号を付して、その説明は省略する。
【００８２】
ステップＳ１５において、所定時間経過したと判定した場合は、気象状況判定部７３は、受信装置１２ｂの受信電力と受信電力閾値Ｐｔｈとを比較し（ステップＳ４１）、受信装置１２ｂの受信電力が受信電力閾値Ｐｔｈ未満の場合はステップＳ４１を繰り返す。すなわち、この場合は、所定時間経過後でも振動体５０の振動は停止させない。
【００８３】
一方、ステップＳ４１において、受信装置１２ｂの受信電力が受信電力閾値Ｐｔｈ以上の場合は、気象状況判定部７３は振動子駆動信号の出力停止を示す信号を振動子駆動部８１に出力する。
【００８４】
振動子駆動部８１は超音波振動子４１に対して振動子駆動信号の出力を停止し、超音波振動子４１は振動体５０の振動を停止する（ステップＳ２２）。
【００８５】
以上のように、本実施形態におけるアンテナ収容装置４００は、受信装置１２ｂの受信電力に基づいて振動体５０の振動時間を延長できる構成としたので、降雨等が止んだ後に例えば霧が発生し、霧による水滴が振動体５０に付着してもそれを除去することができる。
【産業上の利用可能性】
【００８６】
以上のように、本発明に係るアンテナ収容装置は、降雨時や降雪時等に付着した水滴を除去することができるという効果を有し、ミリ波帯の無線通信に用いられるアンテナを収容するアンテナ収容装置として有用である。
【符号の説明】
【００８７】
１０、４０  収容体
１１  筐体
１１ａ  側面
１１ｂ  外周面
１２  ミリ波無線機
１２ａ  アンテナ
１２ｂ  受信装置
１３  温度センサ（降雨降雪検知手段）
１４  雨滴センサ（降雨降雪検知手段）
１５  モータ（水滴除去手段）
１６  転がり軸受
１７  パッキン
２０  回転体
２０ａ、５０ａ  平面部（平面板）
２０ｂ、５０ｂ  筒状部
２０ｃ  動力伝導部材
３０、７０  モータ制御装置（水滴除去手段）
３１、７３  気象状況判定部
３２、７４  モータ駆動部
４１  超音波振動子（水滴除去手段）
４１ａ  本体
４１ｂ  振動軸
５０  振動体
６０、８０  振動子制御装置（水滴除去手段）
６１、８１  振動子駆動部
７１  受信電力取得部（受信電力情報取得手段）
７２  受信電力記憶部
１００、２００、３００、４００  アンテナ収容装置
【図１】
2013219652.tif 000003
【図２】
2013219652.tif 000004
【図３】
2013219652.tif 000005
【図４】
2013219652.tif 000006
【図５】
2013219652.tif 000007
【図６】
2013219652.tif 000008
【図７】
2013219652.tif 000009
【図８】
2013219652.tif 000010
【図９】
2013219652.tif 000011
【図１０】
2013219652.tif 000012